(57)【特許請求の範囲】
【請求項１】
機枠に回転可能に軸承された主軸に天秤クランクを装着し、該天秤クランクに天秤本体の一端を前記主軸と平行で偏心した軸線回りに回転可能に枢着し、前記天秤本体の他端に上糸を捕捉するために上方に開口した捕捉部を設け、該補足部が、上死点から下死点方向に移動するにつれて前方に移動し、中間部から後方に移動して下死点よりも後方位置を通過し、下死点に近づくにつれて前方に移動し、下死点から上死点に移動するにつれて前方に移動し、中間部から後方に移動しながら上死点まで上昇する移動軌跡を移動するように、前記機枠に天秤支えの一端を前記主軸より下方後方位置で前記主軸と平行な軸線まわりに回動可能に枢支し、該天秤支えの他端を前記天秤本体の中間部に回転可能に連結し、糸調子器から引き出された上糸を前記捕捉部が移動軌跡の下死点より僅かに上昇した位置で捕捉するように、前記上糸を水平方向に案内する糸保持ガイドを下方に設け、該糸保持ガイドから引き出された上糸を針棒の下端に取り付けた針の針穴に通すようにしたミシンにおいて、
前記糸調子器から引き出された上糸を下方に案内する糸案内板を上下方向に延在して機枠に固定し、
ミシン前面を覆うフロントパネルの側縁と前記糸案内板との間に上糸が通過できる細い隙間を上下方向に形成し、
前記糸案内板に沿って下方に案内された上糸が引っ掛けられて略水平に屈曲されると、該上糸を前記上下方向の細い隙間を通って前記糸保持ガイドの上流側案内部に導入する案内ガイド部を前記糸案内板の下端に形成し、
該フロントパネルに前記案内ガイド部より僅かに下方で前記糸保持ガイドの下流側案内部まで前記側縁から略水平方向に延在する張出部を形成し、
ミシン端部を覆う面板に、前記糸案内板に隙間なく当接して前記天秤本体の前方を覆う閉鎖部と、前記上流側及び下流側案内部に導入されて前記針の針穴に導通される上糸が通過できる細い隙間を前記フロントパネルの張出部の上縁及び側縁との間に形成する切欠き部とを設け、
前記糸案内板の案内ガイド部に引っ掛けられて略水平方向に屈曲された上糸が引っ掛けられて下方に屈曲されると、該上糸を前記張出部と切欠き部との間の細い隙間を通って糸保持ガイドの下流側案内部に導入する案内ガイド部を該張出部の端部上方に外方に向かって突設したことを特徴とするミシンの上糸案内装置。
【請求項２】
前記糸保持ガイドの上流側及び下流側案内部の各先端が前記糸案内板の案内ガイド部及び前記張出部の案内ガイド部の各内側面に形成された凹部で覆われていることを特徴とする請求項１に記載のミシンの上糸案内装置。
【請求項３】
前記面板及び糸案内板が着脱可能に装着されていることを特徴とする請求項１又は請求項２に記載のミシンの上糸案内装置。
【発明の詳細な説明】
【０００１】
【発明の属する技術分野】
本発明は、ミシンの上糸を案内する装置に関するものである。
【０００２】
【従来の技術】
従来、機枠に回転可能に軸承された主軸に天秤クランクを装着し、該天秤クランクに天秤本体の一端を回転可能に枢着し、天秤本体の他端に上糸を捕捉する捕捉部を設け、機枠に天秤支えの一端を回動可能に枢支し、該天秤支えの他端を天秤本体の中間部に回転可能に連結し、糸調子器から引き出された上糸を捕捉部の移動軌跡と捕捉部が上死点より僅かに下降した位置で交叉するように水平方向に案内する糸保持ガイドを設け、ミシン前面に上下方向に延在する縦方向糸案内溝を形成し、該糸案内溝に案内された上糸を針棒の下端に取り付けた針の針穴に通すようにしたミシンの上糸案内装置が実開平１−６６２７８号公報に開示されている。
【０００３】
【発明が解決しようとする課題】
しかしながら、上記従来の上糸案内装置では、糸案内溝内を天秤本体の捕捉部が上下移動するようになっているので、糸案内溝は幅が広くなり、且つ天秤本体が外部に出ているので、天秤本体の捕捉部が他の物に当たる恐れがあり、デザイン上からも好ましくなかった。
【０００４】
本発明は、係る従来の不具合を解消するためになされたもので、面板により天秤本体の前面を覆うとともに、上糸を糸保持ガイドにスムーズに間違いなく糸掛けできるようにしたことである。
【０００５】
【課題を解決するための手段】
上記の課題を解決するため、請求項１に係る発明の構成上の特徴は、機枠に回転可能に軸承された主軸に天秤クランクを装着し、該天秤クランクに天秤本体の一端を前記主軸と平行で偏心した軸線回りに回転可能に枢着し、前記天秤本体の他端に上糸を捕捉するために上方に開口した捕捉部を設け、該補足部が、上死点から下死点方向に移動するにつれて前方に移動し、中間部から後方に移動して下死点よりも後方位置を通過し、下死点に近づくにつれて前方に移動し、下死点から上死点に移動するにつれて前方に移動し、中間部から後方に移動しながら上死点まで上昇する移動軌跡を移動するように、前記機枠に天秤支えの一端を前記主軸より下方後方位置で前記主軸と平行な軸線まわりに回動可能に枢支し、該天秤支えの他端を前記天秤本体の中間部に回転可能に連結し、糸調子器から引き出された上糸を前記捕捉部が移動軌跡の下死点より僅かに上昇した位置で捕捉するように、前記上糸を水平方向に案内する糸保持ガイドを下方に設け、該糸保持ガイドから引き出された上糸を針棒の下端に取り付けた針の針穴に通すようにしたミシンにおいて、前記糸調子器から引き出された上糸を下方に案内する糸案内板を上下方向に延在して機枠に固定し、ミシン前面を覆うフロントパネルの側縁と前記糸案内板との間に上糸が通過できる細い隙間を上下方向に形成し、前記糸案内板に沿って下方に案内された上糸が引っ掛けられて略水平に屈曲されると、該上糸を前記上下方向の細い隙間を通って前記糸保持ガイドの上流側案内部に導入する案内ガイド部を前記糸案内板の下端に形成し、該フロントパネルに前記案内ガイド部より僅かに下方で前記糸保持ガイドの下流側案内部まで前記側縁から略水平方向に延在する張出部を形成し、ミシン端部を覆う面板に、前記糸案内板に隙間なく当接して前記天秤本体の前方を覆う閉鎖部と、前記上流側及び下流側案内部に導入されて前記針の針穴に導通される上糸が通過できる細い隙間を前記フロントパネルの張出部の上縁及び側縁との間に形成する切欠き部とを設け、前記糸案内板の案内ガイド部に引っ掛けられて略水平方向に屈曲された上糸が引っ掛けられて下方に屈曲されると、該上糸を前記張出部と切欠き部との間の細い隙間を通って糸保持ガイドの下流側案内部に導入する案内ガイド部を前記張出部の端部上方に外方に向かって突設したことである。
【０００６】
請求項２に係る発明の構成上の特徴は、請求項１に記載のミシンの上糸案内装置において、前記糸保持ガイドの上流側及び下流側案内部の各先端が前記糸案内板の案内ガイド部及び前記張出部の案内ガイド部の各内側面に形成された凹部で覆われていることである。
【０００７】
請求項３に係る発明の構成上の特徴は、請求項１又は請求項２に記載のミシンの上糸案内装置において、前記面板及び糸案内板が着脱可能に装着されていることである。
【０００８】
【発明の作用・効果】
上記のように構成した請求項１に係る発明においては、機枠に枢支された天秤支えに中間部を支承された天秤本体の一端が、主軸による天秤クランクの回転により主軸周りに公転されると、天秤本体の先端に設けた捕捉部が上下に移動して移動軌跡の下死点より僅かに上方で糸保持ガイドの上流側及び下流側案内部の間で水平に保持された上糸を引っ掛けて上昇する。
【０００９】
上糸をセットするとき、糸調子器から引き出された上糸を糸案内板に沿って下方に案内し、糸案内板下端に設けた案内ガイド部に引っ掛けて略水平方向に屈曲すると上糸は糸保持ガイドの上流側案内部に導入され、略水平方向に屈曲された上糸をフロントパネルの張出部の端部上方に外方に向かって突設された案内ガイド部に引っ掛けて下方に屈曲すると上糸は糸保持ガイドの下流側案内部に導入され、針棒の下端に装着された針の針穴に通される。
【００１０】
糸案内板に案内されて案内ガイド部に引っ掛けられた上糸は、ミシン前面を覆うフロントパネルの側縁と糸案内板との間に形成された上下方向の細い隙間からミシン内部に入る。フロントパネルの下方に形成された張出部の上縁及び側縁とミシン端部を覆う面板に形成された切欠きとの間に形成された略水平方向の細い隙間を通って上糸は糸保持ガイドの上流側と下流側案内部に導入され、上下方向の細い隙間を通って針穴に向かってミシン内部に入る。面板に設けた閉鎖部は、糸案内板に隙間なく当接して天秤本体の前方を覆う。
【００１１】
このように、面板により天秤本体の前面を覆うとともに、フロントパネルと糸案内板との間及びフロントパネルの張出部と面板の切欠きとの間に上糸が通過できる細い隙間を形成したので、天秤本体の捕捉部が他の物に当たる恐れがなくなり、優美なデザインのミシンの設計が可能となった。さらに、上糸を糸案内板に沿って下方に案内し、糸案内板の下方に設けられた案内ガイド部及びフロントパネルの張出部の端部上方に外方に向かって突設された案内ガイド部に引っ掛けるだけで上糸を糸保持ガイドにスムーズに間違いなく糸掛けすることができる。
【００１２】
上記のように構成した請求項２に係る発明においては、糸保持ガイドの上流側及び下流側案内部の各先端が糸案内板の案内ガイド部及びフロントパネルの張出部の案内ガイド部の各内側面に形成された凹部で覆われているので、糸案内板及び張出部の案内ガイド部と上流側及び下流側案内部との接続部に隙間等ができて上糸が引っ掛かることを防止できる。
【００１３】
上記のように構成した請求項３に係る発明においては、面板及び糸案内板を着脱可能に装着したので、糸がらみした場合など、面板及び糸案内板を外して天秤本体を視認しながら容易に修理することができ、メンテナンス性を向上することができる。
【００１４】
【実施の形態】
以下、図面に基づいて本発明の実施形態を説明する。ミシンのアームヘッド部分を示す図１，２において、主軸１０が機枠１２回転可能に軸承され、主軸１０の先端に天秤クランク１１が装着されている。天秤クランク１１には主軸１０と平行なクランク軸１３が主軸１０から偏心した位置に固着され、クランク軸１３に天秤本体１４の一端が回転可能に支承されている。機枠１２には天秤支え１５の一端が主軸１０より下方で且つ後方の位置で主軸１０と平行なピン１６により回動可能に枢支されている。天秤支え１５の他端は天秤本体１４の中間部にピン１７により回転可能に連結されている。天秤本体１４の他端には上糸を捕捉するために上方に開口した捕捉部１４ａが設けられている。これにより主軸１０が回転駆動されると、天秤クランク１１が回転され、天秤本体１４の捕捉部１４ａが上死点と下死点との間で上下移動する。この捕捉部１４ａの移動軌跡は、上死点が裁縫者から最大距離後方に離れた位置にあり、上死点から下死点方向に移動するにつれて前方に移動し、略中間部から後方に移動して下死点よりも後方位置を通過し、その後、下死点に近づくにつれて前方に移動し、下死点から上死点に移動するにつれて前方に移動して上死点より僅かに上昇した位置で後述する糸保持ガイドにより水平に案内された上糸を保持し、略中間部から後方に移動しながら上死点まで上昇するようになっている。
【００１５】
クランク軸１３の先端には針棒クランク板１８が固定されている。針棒クランク板１８には主軸１０と平行なクランク軸２０が主軸１０に対してクランク軸１３の反対側に偏心した位置に固着されている。クランク軸２０にはクランクロッド２１の一端が回転可能に連結され、クランクロッド２１の他端は針棒２２に嵌合して固定された針棒抱き２３の軸部に回転可能に連結されている。これにより主軸１０が回転駆動されると天秤クランク１１とともに針棒クランク１８が回転され、クランク機構により針棒２２が上下動される。
【００１６】
図３，４に示すように、機枠１２に３個のねじ２４により固定され取付板２５には、可動皿がスプリングにより固定皿に向かって付勢された糸調子器２６が取り付けられ、図略の糸巻きから上部後方の糸案内２７を通って導かれた上糸２８は、糸調子器２６の固定皿と可動皿とに挟まれて張力が付与され、天秤本体１４の捕捉部１４ａの移動平面より主軸１０の軸線方向の僅か右側で下方に引き出されるようになっている。２９は天秤ガイドで、天秤本体１４の捕捉部１４ａが貫通する細長いスリット２９ａが上下方向に設けられ、下端部及び右上部に突設された耳部でねじ３０により機枠１２及び取付板２５に固定されている。
【００１７】
糸案内板３１は、糸調子器２６の固定皿と可動皿との当接面と天秤本体１４の捕捉部１４ａの移動平面との間に上下方向に延在され、糸調子器２６から引き出された上糸２８を下方に案内するために後述するフロントパネルの前面より僅かに前方に突出され、下端部には、下方に案内された上糸２８を引っ掛けて水平方向に屈曲し、後述する糸保持ガイドの上流側案内部に導入するための案内ガイド部３１ａが形成されている。糸案内板３１の後方には基部３１ｂが横方向に延出され、基部３１ｂの底面が天秤ガイド２９の屈曲面に前方から当接し、天秤ガイド２９の上方に形成された矩形穴に係合する突起とねじ３２により天秤ガイド２９の前面に着脱可能に装着されている。基部３１ｂの下方には、捕捉部１４ａが移動軌跡の下方部分で通過するスリット３１ｃが形成されている。
【００１８】
天秤本体１４の捕捉部１４ａが移動軌跡の下死点より僅かに上昇した位置で上糸２８を捕捉するように糸調子器２６から下方に引き出された上糸を水平方向に案内する糸保持ガイド３３のベース部３３ａが、捕捉部１４ａの下死点より下方で天秤ガイド２９の下端にねじ３４により固定されている。糸保持ガイド３３の上流側案内部３３ｂは、上糸の上流側でベース部３３ａから前方に屈曲し、糸案内板３１の案内ガイド部３１ａと整列するまで上方に延在している。図５に示すように、案内ガイド部３１ａの下端面は、前方から後方に向かって上方に傾斜した傾斜面に形成され、上流側案内部３３ｂに前方から後方に向かって上方に傾斜して設けられた導入スリット３３ｃの上壁に滑らかに接続されている。案内ガイド部３１ａの内側面には凹部３１ｄが上下方向に形成され、該凹部３１ｄに上流側案内部３３ｂの先端が係入して覆われ案内ガイド部３１ａと上流側案内部３３ｂとを糸がらみが起きないように滑らかに接続している。導入スリット３３ｃの終端部には下壁から下方に向かって円弧状の糸保持部３３ｄが穿設されている。
【００１９】
糸保持ガイド３３の下流側案内部３３ｅは、ベース部３３ａから前方に屈曲し、天秤本体１４の捕捉部１４ａの移動軌跡下端部分を挟んで上流側案内部３３ｂと対向して上方に延在している。図６に示すように、下流側案内部３３ｅの上端部には、前方から後方に向けて下方に傾斜する導入スロープ３３ｆがスリット３３ｃとほぼ同じ高さに形成され、導入スロープ３３ｆの終端部は上方に突出する後壁に円弧で連結されている。図８に示すように、機枠１２にはミシン前面を覆うフロントパネル３５が固定され、フロントパネル３５には、糸案内板３１との間で上糸２８が通過できる細長い隙間３６を上下方向に形成する側縁３５ａが形成されるとともに、糸案内板３１の案内ガイド部３１ａより僅かに下方で糸保持ガイド３３の下流側案内部３３ｅまで側縁３５ａから水平方向に延在する張出部３５ｂが形成されている。下流側案内部３３ｅと対向する張出部３５ｂの端部上方には、前方から後方に向かって下方に傾斜し、導入スロープ３３ｆと滑らかに接続する傾斜面が形成された案内ガイド部３５ｃが外方に突設されている。案内ガイド部３５ｃの内側面には凹部３５ｄが形成され、該凹部３５ｄに下流側案内部３３ｅの先端が係入して覆われ案内ガイド部３５ｃと上流側案内部３３ｅとを糸がらみが起きないように滑らかに接続している。案内ガイド部３５ｃは、図９に示すように、フロントパネル３５及び面板３７の前面より僅かに前方に突出し、上糸２８を容易に引っ掛けることができるようになっている。
【００２０】
図３，８において、３７はミシン端部を覆う面板で、機枠１２に固定された横板３８にねじ３９により着脱可能に装着されている。面板３７には糸案内板３１に隙間なく当接して天秤本体１４の前方を覆う閉鎖部３７ａ、及びフロントパネル３５の張出部３５ｂの上縁と側縁との間で隙間３６と連接し下流側が若干高いほぼ水平方向に延在する細い隙間４０とこの隙間４０に連接して下方に延在する細い隙間４１とを形成する切欠き３７ｂが設けられている。上糸２８は、案内ガイド部３１ａ，３５ｃに引っ掛けられて上流側及び下流側案内部３３ｂ，３３ｅに導入されるときに隙間４０を通過し、針棒２２の下端に設けられた針棒糸掛け４２を介して針棒２２の下端に取り付けられた針４３の針穴に通されるときに隙間４１を通過する。
【００２１】
次に本実施形態に係るミシンの上糸案内装置の作動について説明する。上糸をセットするには、図略の糸巻きから引き出した上糸２８を上部後方の糸案内２７、糸調子器２６に掛け、糸案内板３１の沿って下方に導き、糸案内板３１の案内ガイド部３１ａに引っ掛けて水平方向に屈曲し、フロントパネル３５の案内ガイド部３５ｃに引っ掛けて隙間４１を通過させて針棒糸掛け４２に引っ掛けて針４３の針穴に通して引っ張り適宜張力を上糸２８に与える。これにより上糸２８は、案内ガイド部３１ａの傾斜面を滑って後方に移動し、隙間３６，４０を通過して上流側案内部３３ｂの導入スリット３３ｃを通って糸保持部３３ｄに導入されて保持され、下流側案内部３３ｅの傾斜面を滑って後方の円弧部に保持され、天秤本体１４の捕捉部１４ａが移動軌跡の下死点より僅かに上昇した位置で上糸２８を捕捉するように、糸保持ガイド３３の上流側及び下流側案内部３３ｂ、３３ｅの間に水平に保持される。
【００２２】
この状態で主軸１０が回転駆動されると、天秤クランク１１が回転され、天秤本体１４の捕捉部１４ａは移動軌跡の下死点から上昇するにつれて前方に移動し、下死点から僅かに上昇した位置で糸保持ガイド３３により水平に保持された上糸２８を捕捉して上昇する。また、主軸１０の回転に連れて針棒クランク１８が回転され、クランク機構により針棒２２延いては針４３が上下動されてミシン縫いが行われる。
【００２３】
糸がらみ等が生じた場合、ねじ３９を外して面板３７を機枠から取り外し、ねじ３２を外して糸案内板３１を天秤ガイド２９から取り外すことにより、天秤本体１４を視認しながら容易且つ確実に上糸案内装置を修理することができる。
【図面の簡単な説明】
【図１】  本発明に係るミシンの上糸案内装置の実施形態のアームヘッド部分を示す部分断面側面図。
【図２】  面板を外して図１の側方からみた側面図。
【図３】  フロントパネルを外して正面からみたアームヘッド部分の正面図。
【図４】  図３のＡ−Ａ線に沿って切断した断面図。
【図５】  上流側案内部を示す拡大図。
【図６】  下流側案内部を示す拡大図。
【図７】  糸保持ガイドと案内ガイド部との関係を示す図。
【図８】  本発明に係るミシンの上糸案内装置の実施形態を備えたミシンの正面図。
【図９】  図８の側面図。
【符号の説明】
１０・・・主軸、１１・・・天秤クランク、１２・・・機枠、１３・・・クランク軸、１４・・・天秤本体、１４ａ・・・捕捉部、１５・・・天秤支え、１６，１７・・・ピン、２２・・・針棒、２６・・・糸調子器、２８・・・上糸、２９・・・天秤ガイド、２９ａ，３１ｃ・・・スリット、３１・・・糸案内板、３１ａ，３５ｃ・・・案内ガイド部、３１ｂ・・・基部、３１ｄ，３５ｄ・・・凹部、３２，３９・・・ねじ、３３・・・糸保持ガイド、３３ａ・・・ベース部、３３ｂ・・・上流側案内部、３３ｃ・・・導入スリット、３３ｄ・・・糸保持部、３３ｅ・・・下流側案内部、３３ｆ・・・導入スロープ、３５・・・フロントパネル、３５ａ・・・側縁、３５ｂ・・・張出部、３６，４０，４１・・・細い隙間、４３・・・針。
【図１】
0003791390.tif 000002
【図２】
0003791390.tif 000003
【図３】
0003791390.tif 000004
【図４】
0003791390.tif 000005
【図５】
0003791390.tif 000006
【図６】
0003791390.tif 000007
【図７】
0003791390.tif 000008
【図８】
0003791390.tif 000009
【図９】
0003791390.tif 000010